(57)【要約】【課題】スピーカ装置の取付構造を改良した表示装置を提供する。【解決手段】実施形態の表示装置は、複数の角部を有する表示パネルと、前記表示パネルの前部を覆う枠状の第１の部分と、前記表示パネルの後部を覆う第２の部分と、を有する筐体と、前記表示パネルの外周部と前記筐体との間で前記各角部の近傍に設けられるとともに、その厚み寸法が奥行き寸法よりも小さくなるように設置される複数のスピーカ装置と、前記第１の部分および前記第２の部分のいずれか一方に設けられ前記複数のスピーカ装置のそれぞれが装着される複数の装着部と、を備える。【選択図】図１
2013081046.tif 000002
【特許請求の範囲】
【請求項１】
複数の角部を有する表示パネルと、
前記表示パネルの前部を覆う枠状の第１の部分と、前記表示パネルの後部を覆う第２の部分と、を有する筐体と、
前記表示パネルの外周部と前記筐体との間で前記各角部の近傍に設けられるとともに、その厚み寸法が奥行き寸法よりも小さくなるように設置される複数のスピーカ装置と、
前記第１の部分および前記第２の部分のいずれか一方に設けられ前記複数のスピーカ装置のそれぞれが装着される複数の装着部と、
を備える表示装置。
【請求項２】
前記スピーカ装置は、
前記表示パネルに近い位置に設けられるとともに前記装着部と係合する取付部と、
前記表示パネルから遠い位置に設けられる放音部と、
を有する請求項１に記載の表示装置。
【請求項３】
前記複数の装着部のうちの１つは、前記複数の装着部のうちの他の１つと同形態をなしており、
前記複数の装着部のそれぞれは、前記第１の部分および前記第２の部分のいずれか一方に対して接着される請求項２に記載の表示装置。
【請求項４】
前記第１の部分および前記第２の部分のいずれか他方から突出して前記複数の装着部に装着された前記複数のスピーカ装置に当接する複数の当接部を備える請求項３に記載の表示装置。
【請求項５】
前記スピーカ装置を前記装着部に固定するための固定部材を備え、
前記装着部は、前記スピーカ装置とともに前記固定部材が固定される固定部を含む請求項４に記載の表示装置。
【請求項６】
複数の角部を有する表示パネルと、
前記各角部の近傍に設けられる複数のスピーカ装置と、
前記表示パネルの前部を覆う第１の部分と、前記表示パネルの後部を覆う第２の部分と、を有する筐体と、
前記第１の部分および前記第２の部分のいずれか一方に設けられ前記複数のスピーカ装置のそれぞれが装着される複数の装着部と、
前記第１の部分および前記第２の部分のいずれか他方から突出して前記複数の装着部に装着された前記複数のスピーカ装置に当接する複数の当接部と、
を備える表示装置。
【請求項７】
前記複数の装着部のうちの１つは、前記複数の装着部のうちの他の１つと同形態をなしており、
前記複数の装着部のそれぞれは、前記第１の部分および前記第２の部分のいずれか一方に対して接着される請求項６に記載の表示装置。
【請求項８】
前記スピーカ装置は、
前記表示パネルに近い位置に設けられるとともに前記装着部と係合する取付部と、
前記表示パネルから遠い位置に設けられる放音部と、
を有する請求項７に記載の表示装置。
【請求項９】
前記スピーカ装置を前記装着部に固定するための固定部材を備え、
前記装着部は、前記スピーカ装置とともに前記固定部材が固定される固定部を含む請求項８に記載の表示装置。
【発明の詳細な説明】
【技術分野】
【０００１】
本発明の実施形態は、表示パネルを有する表示装置に関する。
【背景技術】
【０００２】
例えば、スピーカ装置を備えた薄型テレビが存在している（特許文献１参照）。
【先行技術文献】
【特許文献】
【０００３】
【特許文献１】特開２００８−１６７２６８号公報
【発明の概要】
【発明が解決しようとする課題】
【０００４】
スピーカ装置およびその周辺構造は、表示装置の音響性能を決定し、市場における商品の競争力を左右する重要なものである。このため、スピーカ装置の配置やスピーカ装置の取付構造の改良に関する技術的ニーズが存在していた。
【課題を解決するための手段】
【０００５】
実施形態の表示装置は、複数の角部を有する表示パネルと、前記表示パネルの前部を覆う枠状の第１の部分と、前記表示パネルの後部を覆う第２の部分と、を有する筐体と、前記表示パネルの外周部と前記筐体との間で前記各角部の近傍に設けられるとともに、その厚み寸法が奥行き寸法よりも小さくなるように設置される複数のスピーカ装置と、前記第１の部分および前記第２の部分のいずれか一方に設けられ前記複数のスピーカ装置のそれぞれが装着される複数の装着部と、を備える。
【図面の簡単な説明】
【０００６】
【図１】第１の実施形態にかかる表示装置の一例であるテレビを示した正面図。
【図２】図１に示すテレビの筐体の第１の部分の一部を内側方向から示した斜視図。
【図３】図２に示すテレビの筐体の第２の部分の一部を内側方向から示した斜視図。
【図４】図２に示す第１の部分、第１のスピーカ装置、および第１の装着部を内側方向から示した平面図。
【図５】図１に示す筐体の第１の部分、第４のスピーカ装置、および第４の装着部を内側方向から示した平面図。
【図６】図１に示す筐体の第１の部分、第２のスピーカ装置、および第２の装着部を内側方向から示した平面図。
【図７】図１に示す筐体の第１の部分、第３のスピーカ装置、および第３の装着部を内側方向から示した平面図。
【図８】図１に示すテレビのＦ８−Ｆ８線に沿った断面図。
【図９】図８に示すＡ部を拡大して示した断面図。
【図１０】第２の実施形態にかかる表示装置の一例であるテレビの縦方向に沿った断面図。
【発明を実施するための形態】
【０００７】
以下、図１から図９を参照して、表示装置の一例であるテレビの第１の実施形態について説明する。図１に示すように、本実施形態にかかるテレビ１１は、長方形の外観を有した薄型テレビである。テレビ１１は、表示部１２（ディスプレイ部）と、表示部１２を支持する脚部１３と、を備えている。
【０００８】
図１から図３に示すように、表示部１２は、複数（例えば、４個）の角部１４を有する表示パネル１５と、第１の部分１６Ａ（フロントカバー）および第２の部分１６Ｂ（バックカバー）を有する筐体１６と、表示パネル１５の背面側に設けられたメイン基板１７（プリント回路板）および電源基板１８と、各角部１４の近傍に設けられる複数のスピーカ装置２１と、第１の部分１６Ａに設けられ複数のスピーカ装置２１のそれぞれが装着される複数の装着部２２と、第２の部分１６Ｂから突出して複数の装着部２２に装着された複数のスピーカ装置２１に当接する複数の当接部２３と、スピーカ装置２１を装着部２２に固定するための固定部材２４（図５、図７参照）と、を備えている。
【０００９】
表示パネル１５は、本実施形態では、例えば、方形板状の液晶パネルで構成されている。表示パネル１５は、例えばプラズマディスプレイパネル、有機ＥＬパネル等の他の種類のディスプレイパネルでもよい。図５、図７に示すように、固定部材２４は、例えばねじで構成されている。本実施形態では、固定部材２４は、第３のスピーカ装置２１Ｃおよび第４のスピーカ装置２１Ｄを固定するために使用され、第１のスピーカ装置２１Ａおよび第２のスピーカ装置２１Ｂの固定には使用されない。メイン基板１７（プリント回路板）は、複数の回路部品（ＣＰＵ、ＲＯＭ、ＲＡＭなど）と、チューナと、を備えている。
【００１０】
筐体１６の第１の部分１６Ａおよび第２の部分１６Ｂは、一部に装飾目的や強度向上のために金属材料が用いられているが、主として合成樹脂材料によって成形されている。図１に示すように、第１の部分１６Ａは、表示パネル１５の前部を覆っており、表示パネル１５の縁に沿うように枠状をなしている。第１の部分１６Ａは、複数の小孔が設けられたメッシュ部２５（パンチングシート）を有しており、該メッシュ部２５を通して複数のスピーカ装置２１からの音を外部に放出している。第２の部分１６Ｂは、表示パネル１５の後部を覆っている。
【００１１】
図１に示すように、複数のスピーカ装置２１は、本実施形態では第１のスピーカ装置２１Ａから第４のスピーカ装置２１Ｄを含んでおり、これらは表示パネル１５の各角部１４の近傍の４箇所に分散して設けられている。すなわち、複数のスピーカ装置２１は、表示パネル１５の上側の位置と、表示パネル１５の下側の位置と、に分離して設けられている。また、各スピーカ装置２１Ａ−Ｄは、表示パネル１５の外周部１５Ａと筐体１６（第１の部分１６Ａ、第２の部分１６Ｂ）との間の隙間に設けられている（図４から図７参照）。
【００１２】
第１から第４のスピーカ装置２１Ａ−Ｄのぞれぞれは、その厚み方向Ｔ（縦方向）における寸法（厚み寸法）が奥行き方向Ｄ（前後方向）における寸法（奥行き寸法）よりも小さい、いわゆる薄型のスピーカで構成されている（図９等を参照）。図２、図４から図７に示すように、第１から第４のスピーカ装置２１Ａ−Ｄのぞれぞれは、扁平な箱状をなした本体部３１と、本体部３１の長手方向Ｌにおける両端部から板状に突出した取付部３２と、本体部３１に設けられるとともに外部に音を放出する放音部３３と、を有している。
【００１３】
放音部３３は、例えば、長方形の開口で構成されており、厚み方向Ｔにおいて取付部３２とは反対側に位置している。このため、図４から図７に示すように、各スピーカ装置２１の取付部３２は、表示パネル１５に近い位置に設けられ、各スピーカ装置２１の放音部３３は、表示パネル１５から遠い位置に設けられる。放音部３３は、図１に示すメッシュ部２５に対応する位置に設けられている。取付部３２は、装着部２２の後述する保持部３６と係合するようになっている。また取付部３２は、貫通孔３４を有しており、必要に応じてこの貫通孔３４に固定部材２４を通すことができる。
【００１４】
図２、図４から図７に示すように、複数の装着部２２は、本実施形態では、第１の装着部２２Ａから第４の装着部２２Ｄを含んでおり、これらはスピーカ装置２１の位置に対応して４個設けられている。このうち、図４に示すテレビ１１の背面（内面）方向から見て左上に位置する第１の装着部２２Ａと、図５に示すテレビ１１の背面（内面）方向から見て右下に位置する第４の装着部２２Ｄと、が同形態をなしており、共通部品で構成されている。第１の装着部２２Ａから第４の装着部２２Ｄは、接着剤或いは溶着またはその両方によって第１の部分１６Ａに接着されている。
【００１５】
第１から第４の装着部２２Ａ−Ｄのそれぞれは、底部３５と、底部３５からリブ状に突出してスピーカ装置２１の周囲を保持する保持部３６と、固定部材２４が挿入される穴が設けられる略円柱形の固定部３７と、を有している。この固定部３７に対しては、固定部材２４が固定され、スピーカ装置２１を装着部２２（第３の装着部２２Ｃおよび第４の装着部２２Ｄ）に固定することができる（図５、図７参照）。
【００１６】
さらに、基板等を固定するための固定部分３８が、図６に示すテレビ１１の背面（内面）方向から見て右上に位置する第２の装着部２２Ｂと、図７に示すテレビ１１の背面（内面）方向から見て左下に位置する第３の装着部２２Ｃと、に設けられている。このため、第２の装着部２２Ｂと第３の装着部２２Ｃは、図４、図５に示す第１の装着部２２Ａおよび第４の装着部２２Ｄとは形態が異なっている。
【００１７】
図３に示すように、複数の当接部２３のそれぞれは、筐体１６の第２の部分１６Ｂから突出した小片状をなしており、第２の部分１６Ｂと一体に形成されている。図８、図９に示すように、当接部２３は、第１の装着部２２Ａに装着された第１のスピーカ装置２１Ａに当接して、スピーカ装置２１が第１の装着部２２Ａから脱落することを阻止する。同様に、当接部２３は、第２の装着部２２Ｂに装着された第２のスピーカ装置２１Ｂに当接して、スピーカ装置２１が第２の装着部２２Ｂから脱落することを阻止する。なお、当接部２３は、第１の装着部２２Ａおよび第２の装着部２２Ｂに対応する位置に設けられており、第３の装着部２２Ｃおよび第４の装着部２２Ｄに対応する位置には設けられていない。このため、表示パネル１５の下側にある、図５に示す第３のスピーカ装置２１Ｃおよび図７に示す第４のスピーカ装置２１Ｄは、固定部材２４によって装着部２２に固定される。
【００１８】
続いて、テレビ１１を組み立て工程について説明する。筐体１６の第１の部分１６Ａには、予め第１の装着部２２Ａから第４の装着部２２Ｄを上記方法で接着しておく。そして、例えば、第１の部分１６Ａの内側に、表示パネル１５やメイン基板１７等を取り付ける。さらに、第１から第４の装着部２２Ａ−Ｄに対して、第１から第４のスピーカ装置２１Ａ−Ｄを例えば手指等で差し込んで装着する。第３のスピーカ装置２１Ｃおよび第４のスピーカ装置２１Ｄに対しては、固定部材２４によって第３の装着部２２Ｃおよび第４の装着部２２Ｄに対して固定する。
【００１９】
この状態で、第１の部分１６Ａと第２の部分１６Ｂとをねじ等を利用して接合すると、第２の部分１６Ｂに設けられた当接部２３が第１のスピーカ装置２１Ａおよび第２のスピーカ装置２１Ｂに当接して、これらが第１の装着部２２Ａおよび第２の装着部２２Ｂから脱落することが防止される。さらに必要に応じて表示部１２に対して脚部１３を取り付ければ、テレビ１１の組立が完了する。
【００２０】
第１の実施形態によれば、テレビ１１は、複数の角部１４を有する表示パネル１５と、表示パネル１５の前部を覆う枠状の第１の部分１６Ａと、表示パネル１５の後部を覆う第２の部分１６Ｂと、を有する筐体１６と、表示パネル１５の外周部１５Ａと筐体１６との間で各角部１４の近傍に設けられるとともに、その厚み寸法が奥行き寸法よりも小さい複数のスピーカ装置２１と、第１の部分１６Ａに設けられ複数のスピーカ装置２１のそれぞれが装着される複数の装着部２２と、を備える。
【００２１】
この構成によれば、筐体１６の第１の部分１６Ａの幅を小さくしてテレビ１１の体裁を良好にできるとともに、筐体１６全体としても小型化を図ることができる。
【００２２】
また、スピーカ装置２１は、表示パネル１５に近い位置に設けられるとともに装着部２２と係合する取付部３２と、表示パネル１５から遠い位置に設けられる放音部３３と、を有する。この構成によれば、放音部３３を表示パネル１５からできるだけ離して設置できる。これによってスピーカ装置２１同士を分離して設置することができ、ステレオ感を向上して音響効果をさらに向上できる。
【００２３】
複数の装着部２２のうちの１つは、複数の装着部２２のうちの他の１つと同形態をなしており、複数の装着部２２のそれぞれは、第１の部分１６Ａおよび第２の部分１６Ｂのいずれか一方に対して接着される。この構成によれば、装着部２２を共通部品とすることができ、製造コストを低減することができる。また、スピーカ装置２１周辺で設計変更があった場合でも、装着部２２の金型だけを作り直せば足り、筐体１６全体の金型を作り直すことで生じる膨大な費用を節約できる。よって上記構成によれば、設計変更等にも柔軟に対応することができる。
【００２４】
テレビ１１は、第１の部分１６Ａおよび第２の部分１６Ｂのいずれか他方から突出して複数の装着部２２に装着された複数のスピーカ装置２１に当接する複数の当接部２３を備える。この構成によれば、スピーカ装置２１を固定するためにねじ等が不要であり、テレビ１１の組立工程を簡略化することができる。
【００２５】
スピーカ装置２１を装着部２２に固定するための固定部材２４を備え、装着部２２は、スピーカ装置２１とともに固定部材２４が固定される固定部３７を含む。この構成よれば、装着部２２に汎用性を持たせることができ、上記のように装着部２２を共通部品とすることが容易となる。例えば、当接部２３を設けることが難しい箇所には固定部材２４でスピーカ装置２１を固定し、当接部２３を設けることができる部分は当接部２３によってスピーカ装置２１を固定するなど、用途に応じて装着部２２を様々に使い分けることができる。
【００２６】
続いて図１０を参照して、表示装置の第２の実施形態について説明する。第２の実施形態の表示装置の一例であるテレビ１１は、複数の装着部２２および複数の当接部２３の設置位置が異なる点で第１の実施形態のものと異なっているが、他の部分は第１の実施形態と共通している。このため、主として異なる部分について説明し、共通する部分については共通の符号を付して説明或いは図示を省略する。第２の実施形態のテレビ１１は、図１に示すものと同様の外観を有する。
【００２７】
第１から第４の装着部２２Ａ−Ｄは、筐体１６の第２の部分１６Ｂに設けられている。すなわち、第１から第４の装着部２２Ａ−Ｄは、接着剤或いは溶着またはその両方を用いて第２の部分１６Ｂに接着されている（図１０では、第１の装着部２２Ａのみを示している。）。第１から第４の装着部２２Ａ−Ｄのそれぞれの構造は、第１の実施形態とほぼ同様である。
【００２８】
図１０に示すように、当接部２３は、筐体１６の第１の部分１６Ａから突出した小片状をなしており、第１の部分１６Ａと一体に形成されている。当接部２３は、第１の装着部２２Ａに装着された第１のスピーカ装置２１Ａおよび第２の装着部２２Ｂに装着された第２のスピーカ装置２１Ｂに当接して、第１のスピーカ装置２１Ａおよび第２のスピーカ装置２１Ｂが第１の装着部２２Ａおよび第２の装着部２２Ｂから脱落することを阻止している。なお、当接部２３は、第１の装着部２２Ａおよび第２の装着部２２Ｂに対応する位置に設けられており、第３の装着部２２Ｃおよび第４の装着部２２Ｄに対応する位置には設けられていないことは第１の実施形態と同様である。
【００２９】
第２の実施形態によれば、テレビ１１は、複数の角部１４を有する表示パネル１５と、表示パネル１５の前部を覆う枠状の第１の部分１６Ａと、表示パネル１５の後部を覆う第２の部分１６Ｂと、を有する筐体１６と、表示パネル１５の外周部１５Ａと筐体１６との間で各角部１４の近傍に設けられるとともに、その厚み寸法が奥行き寸法よりも小さくなるように設置される複数のスピーカ装置２１と、第２の部分１６Ｂに設けられ複数のスピーカ装置２１のそれぞれが装着される複数の装着部２２と、を備える。
【００３０】
この構成によれば、筐体１６の第１の部分１６Ａの幅を小さくしてテレビ１１の体裁を良好にできるとともに、筐体１６全体としても小型化を図ることができる。
【００３１】
続いて表示装置の第３の実施形態について説明する。第３の実施形態の表示装置の一例であるテレビ１１は、複数の装着部２２の組合せが異なる点で第１の実施形態のものと異なっているが、他の部分は第１の実施形態と共通している。このため、主として異なる部分について説明し、共通する部分については共通の符号を付して説明或いは図示を省略する。第３の実施形態のテレビ１１は、図１に示すものと同様の外観を有する。
【００３２】
本実施形態では、第１から第４の装着部２２Ａ−Ｄは、第１の実施形態の図２、図４に示す第１の装着部２２Ａと同形態に形成されている。すなわち、第３の実施形態では、第１から第４の装着部２２Ａ−Ｄのすべてが共通部品で構成されている。第１から第４の装着部２２Ａ−Ｄは、接着剤或いは溶着またはその両方を用いて第１の部分１６Ａに接着されている。それ以外の部分は第１の実施形態と同様である。
【００３３】
本実施形態によれば、第１から第４の装着部２２Ａ−Ｄが共通部品で構成されるため、製造コストをより一層低減することができる。
【００３４】
表示装置およびその一例であるテレビ１１は上記実施形態そのままに限定されるものではなく、実施段階ではその要旨を逸脱しない範囲で構成要素を変形して具体化できる。さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【符号の説明】
【００３５】
１１…テレビ、１４…角部、１５…表示パネル、１５Ａ…外周部、１６…筐体、２１Ａ−Ｄ…スピーカ装置、２２Ａ−Ｄ…装着部、２３…当接部、２４…固定部材、３２…取付部、３３…放音部、３７…固定部
【図１】
2013081046.tif 000003
【図２】
2013081046.tif 000004
【図３】
2013081046.tif 000005
【図４】
2013081046.tif 000006
【図５】
2013081046.tif 000007
【図６】
2013081046.tif 000008
【図７】
2013081046.tif 000009
【図８】
2013081046.tif 000010
【図９】
2013081046.tif 000011
【図１０】
2013081046.tif 000012